(57)【要約】【課題】留め位置を調節しつつワンタッチで長尺状の装身具を身体に容易に着脱可能であり、装身具が細いチェーンの場合にも、この装身具を傷付けることなく挟み込んで保持でき、着脱部分をコンパクト化して優れた装飾性を発揮する装身具用留め具とこれを用いた装身具を提供する。【解決手段】長尺のチェーン状の装身具本体２が着脱される開口部２２、この開口部２２を介して装身具本体２が保持される円弧状の保持部２０を有する保持具１０と、この保持具１０に開口部２２を手動操作で開閉可能に取付けられる閉止部材１２とを有する。保持部２０は軟性部材１１を備え、この軟性部材１１と閉止部材１２との間に装身具本体２が挟持される挟持空間Ｓが設けられている。【選択図】図３
2017202081.tif 000002
【特許請求の範囲】
【請求項１】
長尺のチェーン状の装身具本体が着脱される開口部、この開口部を介して装身具本体が保持される円弧状の保持部を有する保持具と、この保持具に前記開口部を手動操作で開閉可能に取付けられる閉止部材とを有し、前記保持部は軟性部材を備え、この軟性部材と前記閉止部材との間に前記装身具本体が挟持される挟持空間が設けられていることを特徴とする装身具用留め具。
【請求項２】
前記軟性部材は、摩擦抵抗を有するシリコーン或はゴムである請求項１に記載の装身具用留め具。
【請求項３】
前記保持部の両縁に折り曲げ可能な爪部が設けられ、この爪部により前記保持部内に収納された軟性部材が抜け止め状態で保持されている請求項１又は２に記載の装身具用留め具。
【請求項４】
前記保持具と前記閉止部材との間にバネが装着され、このバネの弾発力で前記閉止部材が前記開口部の閉止方向に付勢されている請求項１乃至３の何れか１項に記載の装身具用留め具。
【請求項５】
前記閉止部材が前記保持具に回転可能に軸着され、これら閉止部材と保持具の何れか一方に係止ピン、他方にこの係止ピンに係止可能な係止穴部が設けられ、前記閉止部材の閉止時には前記係止ピンが前記係止穴部に係止して閉止状態が保持される請求項１乃至３の何れか１項に記載の装身具用留め具。
【請求項６】
前記閉止部材が前記保持具に回転可能に軸着され、これら係止部材と保持具の何れか一方にマグネット、他方にマグネット或はマグネットに吸引される金属部が設けられ、前記閉止部材の閉止時には前記マグネットとマグネット或は金属部とが吸引されて閉止状態が保持される請求項１乃至３の何れか１項に記載の装身具用留め具。
【請求項７】
請求項１乃至６の何れか１項に記載の装身具用留め具が、装身具本体の一端側に設けられていることを特徴とする装身具用留め具を用いた装身具。
【請求項８】
前記装身具本体の他端側に、前記挟持空間よりも大きい装飾部材が取付けられている請求項７に記載の装身具用留め具を用いた装身具。
【発明の詳細な説明】
【技術分野】
【０００１】
本発明は、ネックレスなどの装身具を身体に装着する際に環状に係止するための装身具用留め具に関し、特に、留め位置を調節しながら長尺のチェーン状の装身具を身体に装着できる装身具用留め具とこれを用いた装身具に関する。
【背景技術】
【０００２】
従来、この種の留め位置を調節可能な装身具として、例えば、特許文献１の装飾具が開示されている。この装飾具は、ネックレスの装飾チェーン用の装身具であり、装飾体の中に弾力性を有する樹脂材料からなる筒体が設けられている。筒体の小孔は、装飾チェーンの直径よりも小さく設けられ、この構造により、装飾チェーンの端部が筒体に挿入され、この筒体に対して装飾チェーンが係止状態で摺動可能に設けられ、その係止位置が変えられて装着時の留め位置が調節される。
【０００３】
一方、特許文献２の装身具用の留め具においては、表面に装飾を有する装飾部材本体を有し、この装飾部材本体には、互いに係合する第１、第２の係合部材が設けられている。第２の係合部材は、第１の係合部材に支点を中心に回動可能に設けられ、一方の係合部材に磁石、他方の係合部材に磁石または金属部材が設けられている。この構造により、係合部材同士が係合可能に設けられ、係合部材同士の空間部に長尺状の装身具本体が留め位置が調節可能な状態で留められる。
【先行技術文献】
【特許文献】
【０００４】
【特許文献１】特開平１０−２９５４２１号公報
【特許文献２】実用新案登録第３１３２８９６号公報
【発明の概要】
【発明が解決しようとする課題】
【０００５】
しかしながら、特許文献１の装飾具においては、装飾チェーンの筒体への挿脱によりこれらが係止可能に設けられ、これを満足するために筒体の小孔が装飾チェーンの直径よりも小さく設けられている。そのため、着脱に手間がかかり、ワンタッチで装着することができない。さらに、樹脂材料の筒体に装飾チェーンを繰り返し挿脱して摺動させると筒体の消耗が激しくなり、これによって、係止力が弱くなったり装飾チェーンが傷付く可能性も生じる。所定の係止力を得るために筒体が長くなったり、この筒体を外部から隠すために装飾体が大型になることにより、装飾チェーンと装飾体とのバランスが失われて全体の装飾性も低下していた。
【０００６】
特許文献２の装身具用の留め具についても、装飾部材本体に係合用の磁石や金属部材が設けられているため、装飾部材本体が大型化してチェーンとの一体性が失われ、装飾性が損なわれていた。この留め具では、装身具本体が真珠のネックレスにより設けられ、この真珠が、係合部材の円弧部で設けられた空間部を通過できない大きさになっていることで留め位置が調節可能になっている。このように、この留め具は係合部材で装身具本体を直接挟着して固定する構造ではないため、装身具本体が細いチェーンの場合、この装身具本体との間に緩みが生じて留め位置を調節することができない。
【０００７】
本発明は、上記の課題点を解決するために開発したものであり、その目的とするところは、留め位置を調節しつつワンタッチで長尺状の装身具を身体に容易に着脱可能な装身具用留め具であり、装身具が細いチェーンの場合にも、この装身具を傷付けることなく挟み込んで保持でき、着脱部分をコンパクト化して優れた装飾性を発揮する装身具用留め具とこれを用いた装身具を提供することにある。
【課題を解決するための手段】
【０００８】
上記目的を達成するため、請求項１に係る発明は、長尺のチェーン状の装身具本体が着脱される開口部、この開口部を介して装身具本体が保持される円弧状の保持部を有する保持具と、この保持具に開口部を手動操作で開閉可能に取付けられる閉止部材とを有し、保持部は軟性部材を備え、この軟性部材と閉止部材との間に装身具本体が挟持される挟持空間が設けられている装身具用留め具である。
【０００９】
請求項２に係る発明は、軟性部材は、摩擦抵抗を有するシリコーン或はゴムである装身具用留め具である。
【００１０】
請求項３に係る発明は、保持部の両縁に折り曲げ可能な爪部が設けられ、この爪部により保持部内に収納された軟性部材が抜け止め状態で保持されている装身具用留め具である。
【００１１】
請求項４に係る発明は、保持具と閉止部材との間にバネが装着され、このバネの弾発力で閉止部材が開口部の閉止方向に付勢されている装身具用留め具である。
【００１２】
請求項５に係る発明は、閉止部材が保持具に回転可能に軸着され、これら閉止部材と保持具の何れか一方に係止ピン、他方にこの係止ピンに係止可能な係止穴部が設けられ、閉止部材の閉止時には係止ピンが係止穴部に係止して閉止状態が保持される装身具用留め具である。
【００１３】
請求項６に係る発明は、閉止部材が保持具に回転可能に軸着され、これら係止部材と保持具の何れか一方にマグネット、他方にマグネット或はマグネットに吸引される金属部が設けられ、閉止部材の閉止時にはマグネットとマグネット或は金属部とが吸引されて閉止状態が保持される装身具用留め具である。
【００１４】
請求項７に係る発明は、装身具用留め具が、装身具本体の一端側に設けられている装身具用留め具を用いた装身具である。
【００１５】
請求項８に係る発明は、装身具本体の他端側に、挟持空間よりも大きい装飾部材が取付けられている装身具用留め具を用いた装身具である。
【発明の効果】
【００１６】
請求項１に係る発明によると、開口部、円弧状の保持部を有する保持具と、閉止部材とを有し、保持部に備えた軟性部材と閉止部材との間に装身具本体を挟持する挟持空間を設けていることにより、長尺のチェーン状の装身具本体を開口状態の開口部から装入したときに保持部まで案内し、この装身具本体の外周の任意の箇所を留め位置や長さを調節しつつ挟持してワンタッチで容易に身体に着脱できる。このように円弧状の保持部に沿って円弧状に取付けられた軟性部材と、閉止部材とにより装身具本体を挟持しているため、装身具本体が細いチェーンの場合にも、外周全体を挟持してずれや抜けを防止して装着状態を保持し、しかも、軟性部材に対して装身具本体を摺動させることなく着脱できるため、装身具本体の表面を傷付けるおそれもない。挟持空間を装身具本体の太さと略同じ大きさに抑えることで全体をコンパクト化でき、挟持用の装飾体を別途設ける必要がない。これによって、装身具本体の太さに合わせて形成して一体性を向上でき、装身具全体の装飾性が高まる。
【００１７】
請求項２に係る発明によると、軟性部材をシリコーン或はゴムとすることにより、表面を傷付けることなく装身具本体を保持部に着脱でき、その装着後には摩擦抵抗によって装身具本体を強固に挟持して装着性を維持する。
【００１８】
請求項３に係る発明によると、軟性部材を保持部に収納した状態で両縁の爪部を折り曲げることでこの軟性部材を容易に取付けでき、その取付後には軟性部材の抜け出しを確実に防止できるとともに、爪部が保持具の表面側に露出することがないため装飾性を損なうことがなく、軟性部材に接着剤等を塗付する必要もないため取付け作業も容易になる。
【００１９】
請求項４に係る発明によると、閉止部材の閉止後には、バネの弾発力で閉止部材を閉止方向に付勢してこの閉止部材と軟性部材との装身具本体への挟持力を維持でき、一方、閉止部材をバネの弾発力に抗して開口方向に手動操作し、装身具本体を保持部に簡単に着脱できる。
【００２０】
請求項５に係る発明によると、閉止部材の閉止後には、係止ピンが係止穴部に係止することで閉止部材と軟性部材との装身具本体への挟持力を維持でき、一方、係止ピンの係止穴部への係止を外す力で閉止部材を開口方向に手動操作し、装身具本体を保持部に簡単に着脱できる。
【００２１】
請求項６に係る発明によると、閉止部材の閉止後には、マグネットと、マグネット或は金属部との吸引により閉止部材と軟性部材との装身具本体への挟持力を維持でき、一方、磁力に抗して閉止部材を開口方向に手動操作し、装身具本体を保持部に簡単に着脱できる。
【００２２】
請求項７に係る発明によると、留め位置を調節しつつワンタッチで装身具本体を簡単に身体に着脱でき、装着後には身体に合わせた装着状態を維持できる。装身具本体に様々な装飾性を付加させたり装身具本体を任意の長さに形成できることで、装飾の幅が広がる。
【００２３】
請求項８に係る発明によると、装身具本体の留め具の他端側に挟持空間よりも大きい装飾部材を設けていることにより、仮に、身体への装着後に他端部側に抜け出し方向の力が加わった場合にも、装飾部材が保持具に係止することでその抜け出しを防いで身体からの脱落を防止でき、この装飾部材により装身具としての装飾性が一層高まる。
【図面の簡単な説明】
【００２４】
【図１】装身具の一実施形態を示す外観図である。
【図２】図１の装身具の装着状態を示す外観図である。
【図３】本発明における装身具用留め具の第１実施形態を示す縦中央断面図である。
【図４】保持部の一部拡大斜視図である。
【図５】本発明における装身具用留め具の第２実施形態を示す外観図である。
【図６】本発明における装身具用留め具の第３実施形態を示す外観図である。
【図７】本発明における装身具用留め具の第４実施形態を示す外観図である。
【図８】本発明における装身具用留め具の第５実施形態を示す外観図である。
【図９】本発明における装身具用留め具の第６実施形態を示す外観図である。
【発明を実施するための形態】
【００２５】
以下、本発明における装身具用留め具とこれを用いた装身具の実施形態を図面に基づいて説明する。図１においては、本発明の装身具用留め具を用いた装身具の一実施形態、図２においては、装身具の装着状態、図３においては、この装身具に用いられている装身具用留め具を示している。
【００２６】
本発明における装身具用留め具（以下、留め具本体１という）は、図１、図２に示す長尺のチェーン状のネックレスからなる装身具本体２に取付けられ、留め具本体１により装身具本体２が環状に接続されて身体に着脱可能に設けられる。
【００２７】
図３において、留め具本体１は、保持具１０、軟性部材１１、閉止部材１２、バネ１３を有している。
保持具１０は、装飾性を有する適宜の材料により形成され、円弧状に形成された保持部２０、略円筒状の筒状部２１を有し、これら保持部２０と筒状部２１とが一体化され、保持部２０には開口部２２が設けられている。
【００２８】
開口部２２は、装身具本体２の太さよりもやや広く形成され、この開口部２２から装身具本体２が着脱可能に設けられる。装身具本体２の装着後には、保持部２０に備えられた軟性部材１１により、装身具本体２を保持可能になっている。
【００２９】
図４に示すように、保持部２０は断面略コ字形状に設けられ、その内周側には溝部２３が形成される。溝部２３の両縁には、爪部２４が適宜の間隔で複数箇所に折り曲げ可能な状態で形成されている。上記した軟性部材１１は、溝部２３に沿って保持部２０に収納され、その収納後に爪部２４が折り曲げられることで、この爪部２４によって溝部２３内に抜け止め状態で保持される。
【００３０】
図３において、軟性部材１１は、摩擦抵抗を有するシリコーンにより適宜の厚さに設けられ、このシリコーン１１の取付け後には、その内周側に装身具本体２を引っ掛けるようにして装着可能な大きさの空隙が設けられる。軟性部材１１の内周両端にはアール面２５が設けられ、このアール面２５により開口部２２から装身具本体２の装着部位までが滑らかに形成される。
【００３１】
保持具１０において、筒状部２１の長手方向には長穴部２６が形成され、この長穴部２６の後述する閉止部材１２の摘み部２７から端部までの長さ方向の長さＬ１は、この摘み部２７が開口部２２を移動するときの閉止部材１２の先端部の移動距離Ｌ２と同じか、やや大きくなるように設けられる。長穴部２６の図示しない幅は、摘み部２７の太さよりも広く形成される。筒状部２１の開口部２２との他端側には、装身具本体２の鎖素子２ａが接続可能なリング状の取付部２８が一体に設けられている。
【００３２】
閉止部材１２は、筒状部２１内に収納可能な棒状に形成され、この閉止部材１２の略中央付近には、外方に突出する摘み部２７が形成される。閉止部材１２は、摘み部２７が長穴部２６に挿入された状態で筒状部２１に装着され、これによって長穴部２６を可動距離Ｌ２によりスライド可能に設けられる。その際、上記したように長さＬ１が可動距離Ｌ２と同じかやや大きくなるように設けられていることで、摘み部２７を摘んで長穴部２６の長さＬ１の範囲で閉止部材１２をスライドさせるようにすれば、開口部２２を閉止状態から確実に開口状態まで手動操作できる。
【００３３】
筒状部２１と閉止部材１２との間には、コイルスプリングからなるバネ１３が弾発状態で装着され、常時においてその弾発力で閉止部材１２が開口部２２を閉止させる方向に付勢されている。このため、摘み部２７を開方向に手動操作するとき以外には、開口部２２は閉止部材１２により閉止されている。
閉止部材１２による開口部２２の閉止時には、軟性部材１１と閉止部材１２との間に挟持空間Ｓが設けられ、この挟持空間Ｓに装身具本体２の外面が挟持された状態で装着可能になっている。
【００３４】
上述した留め具本体１は、図１に示すように、取付部２８に鎖素子２ａが接続されて装身具本体２の一端側に設けられる。
装身具本体２は、金、銀、プラチナ等の貴金属やその他金属材料などにより設けられ、汎用のものが使用可能になっている。装身具本体２の他端側には、適宜の装飾性を有する装飾部材３０が取付けられ、この装飾部材３０は、留め具本体１の挟持空間Ｓよりも大きく形成されている。
【００３５】
図示しないが、装身具本体２は、チェーン状に限らず、例えば、適宜の装飾性を有する紐状の長尺部材により設けられていてもよい。また、装飾部材３０が装身具本体２に着脱可能に設けられていたり、或は、装飾部材３０が省略されていてもよい。
【００３６】
また、留め具本体は、開口部と保持具とを有し、閉止部材により開口部を開閉操作して軟性部材と閉止部材との間の挟持空間に装身具本体２を挟持する留め構造であれば、適宜の形状に設けたり任意の装飾を施すこともでき、装身具本体の太さに合わせて挟持空間の異なる留め具本体を設けることもできる。
【００３７】
軟性部材は、適度の摩擦力を有する材質であればシリコーン以外の材料であってもよく、例えば、ゴムにより設けられていてもよい。軟性部材を保持部に装着する場合、溝部や爪部を設けることなく、軟性部材を保持部に接着等の手段で直接固着するようにしてもよい。
【００３８】
続いて、本発明の装身具用留め具の上記実施形態における作用を説明する。
上述した留め具本体１を身体に装着する際には、先ず、図１に示すように留め具本体１と装身具本体２とが外れた状態で、留め具本体１と装飾部材３０とを身体の前（胸部、腹部側）に位置させた状態で、留め具本体１の両端の長さを調整しながら装身具本体２を首に掛けるようにする。
【００３９】
次に、図３（ａ）の摘み部２７を摘み、バネ１３の弾発力に抗して右方向に閉止部材１２をスライドさせて、図３（ｂ）に示すように開口部２２を開口状態にし、この開口状態で開口部２２から装身具本体２の任意の箇所を留め位置として装入する。このとき、装身具本体２が滑らかなアール面２５によりスムーズに挟持位置まで案内される。
【００４０】
この状態で、摘み部２７を離して閉止部材１２の右方向へのスライドを解除すると、閉止部材１２がバネ１３の弾発力で左方向にスライドして開口部２２が閉止状態となる。このとき、シリコーン１１と閉止部材１２との間に挟持空間Ｓを設けていることにより、この挟持空間Ｓに装身具本体２の外面を挟持して保持した状態にできる。このように、装身具本体２の幅よりもやや広い開口部２２から装身具本体２を交差方向に装入することで、この装身具本体２の任意の箇所をワンタッチで挟持して容易に身体に装着できる。
【００４１】
装身具本体２の留め位置や左右の長さを調節する際には、再度閉止部材１２を右方向にスライドさせて開口部２２の閉止状態を解除すれば、装身具本体２を外して挟持箇所を調節可能となるため、装身具本体２の左右の長さを所望の状態に微調整できる。このとき、装身具本体２をシリコーン１１に対して摺動させることがないため、装身具本体２の表面が傷付くことがなく、摺動によるシリコーン１１の消耗も抑えることができる。
【００４２】
装身具本体２の装着後には、閉止部材１１と、弾性変形したシリコーン１１とにより装身具本体２を押圧状態で挟持空間Ｓに強固に保持し、シリコーン１１が有する摩擦抵抗によってこの装着状態を維持できる。これにより、装身具本体を成すチェーンが細い場合でもずれや脱落を防止して装着状態を確実に維持する。
【００４３】
図３において、挟持空間Ｓを装身具２を挟持可能な小さい空間として奥行方向の長さも短くできるため、留め具本体１の全体をコンパクト化して装身具本体２との一体性を高めることができ、留め具本体１が身体への装着後に邪魔になることもない。
【００４４】
コイルスプリング１３の弾発力で閉止部材１２を閉止方向に付勢していることにより、開口部２２の閉止状態で閉止部材１２が自然に緩んで開口することがなく、この閉止部材１２を繰り返し開閉操作した場合にも開口部２２を強固に閉止できる。
【００４５】
図５においては、本発明における装身具用留め具の第２実施形態を示している。なお、以降の実施形態において、前記実施形態と同一部分は同一符号によって表し、その説明を省略する。
【００４６】
図５（ａ）の留め具本体４０では、閉止部材４１が保持具４２に軸着部４３を介して回転可能に軸着され、閉止部材４１の手動操作による回動により開口部４４を開閉可能になっている。保持具４２と閉止部材４１との間には、図示しないねじりコイルばねからなるバネが装着され、このバネの弾発力で閉止部材４１が開口部４４を閉止する方向に付勢されている。シリコーン１１は、円弧状の保持部４７に沿って接着により固着されている。
【００４７】
この構造により、図５（ｂ）において、閉止部材４１に設けられた摘み部４６を摘んでバネの弾発力に抗して閉止部材４１を矢印に示す時計回りに回転させたときに開口部４４が開口状態となり、この状態で保持部４７のシリコーン１１に装身具本体２を押圧しながら装着できる。
【００４８】
摘み部４６による時計回りの回転を解除したときには、閉止部材４１がバネの弾発力で反時計回りに回転して図５（ａ）に示した閉止状態となり、挟持空間Ｓに装身具本体２を挟持する。
【００４９】
図５（ｃ）においては、図５（ａ）に比較して摘み部４８を長く設けた例を示している。この場合、長尺状の摘み部４８を摘んで手動操作しやすくなり、軸着部４３から摘み部４８の摘み部分までの距離が長くなることで操作トルクも小さくなり閉止部材４１を軽い力で開閉操作できる。
【００５０】
この実施形態では、シリコーン１１を接着により保持部４７の内周側に装着しているが、前記実施形態と同様に、保持部に溝部を設けてこの溝部にシリコーン１１を収納したり、溝部の両縁に爪部を設けてこの爪部によりシリコーン１１を抜け止めしてもよい。
【００５１】
図６においては、本発明における装身具用留め具の第３実施形態を示している。
図６（ａ）の留め具本体５０では、閉止部材５１の後端部が保持具５２の端部付近に軸着部５３を介して回転可能に軸着され、閉止部材５１に一体に設けられた押圧部５４を手動操作で押圧したときに開口部５５を開閉可能になっている。保持具５２と閉止部材５１との間には図示しない板ばねからなるバネが装着され、このバネの弾発力で閉止部材５１が開口部５５を閉止する方向に付勢されている。
【００５２】
図６（ａ）、図６（ｂ）において、押圧部５４を矢印の方向に押圧したときには、閉止部材５１がバネの弾発力に抗して軸着部５３を中心に時計回りに回転して開口部５５が開口状態となり、この状態でシリコーン１１を備えた円弧状の保持部５６に装身具本体２を装着可能となる。一方、押圧部５４への押圧を解除したときには、バネの弾発力により閉止部材５１が反時計回りに回転して図６（ａ）に示した閉止状態となり、挟持空間Ｓに装身具本体２を挟持する。
この留め具本体５０では、押圧部５４が外方に突出することがなく、全体が曲線状に形成されているため、衣服や頭髪への引っ掛かりを防止でき、これらによる閉止部材５１の誤操作も防止できる。
【００５３】
図７においては、本発明における装身具用留め具の第４実施形態を示している。
この留め具本体６０は、図６の留め具本体５０を長さ方向に短く形成したものであり、この場合にも、図７（ａ）の閉止状態、図７（ｂ）の開口状態に示すように、図６の留め具本体５０と同様に押圧部５４を図７（ａ）の矢印方向に押圧して開口部５５を開閉操作できる。このように、板ばねをバネとして用いた場合、コイルスプリングを用いた場合に比較して全体を小さくしながら弾発力を発揮できるため、留め具本体６０のコンパクト化に寄与する。
【００５４】
図８においては、本発明における装身具用留め具の第５実施形態を示している。
この実施形態における留め具本体７０では、閉止部材７１が保持具７２に軸着部７３を介して回転可能に軸着され、保持具７２には、係止突部７４を有する係止ピン７５、閉止部材７１には、係止ピン７５の係止突部７４に係止可能な図８（ｃ）に示す係止穴部７６が設けられている。これにより、図８（ａ）における閉止部材７１による開口部７７の閉止時には、係止突部７４が係止穴部７６に係止して閉止状態が保持される。図８（ｂ）に示した開口状態にするときには、係止ピン７５の係止穴部７６への係止力に抗するように閉止部材７１を開方向に手動で回転操作することで簡単に開操作できる。この留め具本体７０では、バネを必要としないため部品点数を削減でき、組立ても容易になる。
【００５５】
この場合、保持具７２に係止ピン７５、閉止部材７１に係止穴部７６を設けているが、これら閉止部材７１と保持具７２の何れか一方に係止ピン、他方に係止穴部を設けるようにすればよく、図示しないが、保持具に係止穴部、閉止部材に係止ピンを設けるようにしてもよい。
【００５６】
図９においては、本発明における装身具用留め具の第６実施形態を示している。
この実施形態の留め具本体８０では、閉止部材８１が保持具８２に軸着部８３を介して回転可能に軸着され、図９（ｃ）の平面図における閉止部材８１にマグネット８４、保持具８２におけるマグネット８４の対向する位置にマグネット８４に吸引される金属部８５が一体に設けられている。
【００５７】
これにより、図９（ａ）における閉止部材８１の閉止時には、マグネット８４と金属部８５とが磁着して閉止状態が保持される。図９（ｂ）に示すように、閉止部材８１の開口状態に設けるときには、マグネット８４と金属部８５との吸引力に抗して閉止部材８１を開方向に手動で回転操作することで簡単に開操作できる。このようにマグネット８４の磁力を利用して挟持していることから、この挟持力を半永久的に維持して長期に渡って留め具本体８０を使用可能になる。
【００５８】
この実施形態では、閉止部材８１にマグネット８４、保持具８２に金属部８５を設けているが、保持具８２に閉止部材のマグネット８４に吸引されるマグネットを設けてもよく、また、これら閉止部材８１と保持具８２の何れか一方にマグネット、他方にマグネット或はマグネットに吸引される金属部を設けるようにすればよく、図示しないが、閉止部材に金属部、保持具にマグネットを設けるようにしてもよい。
【００５９】
以上、本発明の実施の形態について詳述したが、本発明は、前記実施の形態記載に限定されるものではなく、本発明の特許請求の範囲に記載されている発明の精神を逸脱しない範囲で、種々の変更ができるものである。
【符号の説明】
【００６０】
１  留め具本体
２  装身具本体
１０  保持具
１１  シリコーン（軟性部材）
１２  閉止部材
１３  バネ
２０  保持部
２２  開口部
２４  爪部
３０  装飾部材
７５  係止ピン
７６  係止穴部
８４  マグネット
８５  金属部
Ｓ  挟持空間
【図１】
2017202081.tif 000003
【図２】
2017202081.tif 000004
【図３】
2017202081.tif 000005
【図４】
2017202081.tif 000006
【図５】
2017202081.tif 000007
【図６】
2017202081.tif 000008
【図７】
2017202081.tif 000009
【図８】
2017202081.tif 000010
【図９】
2017202081.tif 000011